(57)【特許請求の範囲】
【請求項１】
複数の無線タグと、
前記複数の無線タグと通信する通信手段を有する無線タグリーダと、
を備える無線タグシステムであって、
前記複数の無線タグは、所定のエリア内に保管される複数の物品のそれぞれに付されて当該物品を特定するための物品特定情報が記憶される物品特定用タグと、前記所定のエリアを複数の単位エリアに区画した単位エリアごとに配置されて当該単位エリアを特定するためのエリア特定情報が記憶されるエリア特定用タグとにより構成され、
保管位置の確認対象となる前記物品特定情報と前記エリア特定情報とが関連付けられて記憶される記憶手段を備え、
前記無線タグリーダは、
保管位置の確認作業の際に前記通信手段により前記物品特定用タグと通信した際に前記エリア特定用タグとも通信すると、当該通信により読み取られた前記物品特定情報について、当該物品特定情報に関連付けられて前記記憶手段に記憶される前記エリア特定情報と前記通信により読み取られた前記エリア特定情報とを比較する比較手段と、
前記比較手段による比較結果に応じた所定の制御を行う制御手段と、
を備え、
前記無線タグリーダを携帯する読取作業者が前記複数の単位エリアの全てを所定の順番で移動することで、前記通信手段による前記物品特定用タグおよび前記エリア特定用タグとの通信により読み取られる前記物品特定情報および前記エリア特定情報とこの読取順番とが関連付けられて前記記憶手段に記憶され、
前記無線タグリーダは、
前記保管位置の確認作業の際に、前記記憶手段に記憶される前記物品特定情報および前記エリア特定情報と前記読取順番とに基づいて前記所定の順番を求めてこの所定の順番に応じた確認作業時の推奨ルートを作成する推奨ルート作成手段と、
前記推奨ルート作成手段により作成された前記推奨ルートが表示される表示手段と、
を備えることを特徴とする無線タグシステム。
【請求項２】
前記推奨ルート作成手段は、前記推奨ルートの作成時に前記通信手段により通信された前記エリア特定用タグの前記エリア特定情報から特定される前記単位エリアをも考慮して前記推奨ルートを作成することを特徴とする請求項１に記載の無線タグシステム。
【請求項３】
複数の無線タグと、
前記複数の無線タグと通信する通信手段を有する無線タグリーダと、
を備える無線タグシステムであって、
前記複数の無線タグは、所定のエリア内に保管される複数の物品のそれぞれに付されて当該物品を特定するための物品特定情報が記憶される物品特定用タグと、前記所定のエリアを複数の単位エリアに区画した単位エリアごとに配置されて当該単位エリアを特定するためのエリア特定情報が記憶されるエリア特定用タグとにより構成され、
保管位置の確認対象となる前記物品特定情報と前記エリア特定情報とが関連付けられて記憶される記憶手段を備え、
前記無線タグリーダは、
保管位置の確認作業の際に前記通信手段により前記物品特定用タグと通信した際に前記エリア特定用タグとも通信すると、当該通信により読み取られた前記物品特定情報について、当該物品特定情報に関連付けられて前記記憶手段に記憶される前記エリア特定情報と前記通信により読み取られた前記エリア特定情報とを比較する比較手段と、
前記比較手段による比較結果に応じた所定の制御を行う制御手段と、
を備え、
前記物品特定情報には、前記物品特定用タグを付した前記物品が他の単位エリアへの移動を許可されているか否かについて、移動が許可されていることを示す移動許可情報と移動が許可されない移動不可情報とのいずれか一方が含まれ、
前記制御手段は、前記所定の制御として、前記比較手段により一致しないエリア特定情報に関連付けられる前記物品特定情報について、当該物品特定情報に前記移動不可情報が含まれていると、読み取られた前記物品特定用タグを付した前記物品について移動が許可されていない旨を報知することを特徴とする無線タグシステム。
【請求項４】
前記制御手段は、前記所定の制御として、さらに、前記移動不可情報が含まれている前記物品特定情報について、前記記憶手段に関連付けられて記憶されている前記エリア特定情報に関する情報を報知することを特徴とする請求項３に記載の無線タグシステム。
【請求項５】
前記制御手段は、前記所定の制御として、前記比較手段により一致しないエリア特定情報に関連付けられる前記物品特定情報について、当該物品特定情報に前記移動許可情報が含まれていると、移動が許可されている前記物品が他の単位エリアに移動している旨を報知することを特徴とする請求項３または４に記載の無線タグシステム。
【請求項６】
前記制御手段は、前記所定の制御として、前記比較手段により一致しないエリア特定情報に関連付けられる前記物品特定情報について、当該物品特定情報が記憶される前記物品特定用タグを付した前記物品が他の単位エリアへの移動している旨を報知することを特徴とする請求項１〜５のいずれか一項に記載の無線タグシステム。
【発明の詳細な説明】
【技術分野】
【０００１】
本発明は、無線タグに記憶されている情報を読み取る無線タグリーダを備える無線タグシステムに関するものである。
【背景技術】
【０００２】
現在、管理対象となる各物品のそれぞれに無線タグが付され、この無線タグを無線タグリーダにて読み取ることで、各物品の管理状況等を容易に把握でき、各物品の管理の効率化を図っている。このような管理状態では、複数の物品が収納された棚等から、特定の物品をその物品に付された無線タグを利用して探索するといった要求がある。
【０００３】
このような無線タグを利用した探索を可能とする無線タグシステムに関連する技術として、例えば、特許文献１に開示される棚卸支援装置が知られている。この棚卸支援装置では、ＲＦＩＤリーダによる近距離無線通信によって無線タグから読み取った複数の識別コードに対応付けられている品名を表示部に一覧表示し、選択指定された一の識別コードを棚卸対象としてメモリに記憶し、ＲＦＩＤリーダによる近距離無線通信によって無線タグから読み取った識別コードのうち、メモリに記憶した棚卸対象である識別コードと同一の識別コードの個数を実在庫数として求めている。これにより、ある特定の物品について棚卸をする場合、棚卸対象となる物品からの識別コードの取得作業を容易にし、その作業負担が軽減される。
【先行技術文献】
【特許文献】
【０００４】
【特許文献１】特開２０１０−０４４７２４号公報
【発明の概要】
【発明が解決しようとする課題】
【０００５】
しかしながら、上記特許文献１に開示される棚卸支援装置の構成を採用するシステムでは、無線タグが付された物品の有無は判断可能であるが、その物品がどの辺りに存在するかを把握することができない。資産管理では、資産（物品）の現物確認が必要な場合が多い。この場合には、物品がどの辺りに存在するかの探索が必要になる。また、資産棚卸は、頻繁に行われるものではなく、例えば、半期に１回または年度に１回程度行われることも多い。棚卸を実施する読取作業者は、実施毎に異なる場合が多く、資産（物品）の位置などの引き継ぎが正しく行われないと、資産（物品）を探し出すのに時間がかかる場合がある。
【０００６】
本発明は、上述した課題を解決するためになされたものであり、その目的とするところは、無線タグが付された物品の保管位置を容易に管理可能な無線タグシステムを提供することにある。
【課題を解決するための手段】
【０００７】
上記目的を達成するため、特許請求の範囲の請求項１に記載の発明は、複数の無線タグ（６０）と、前記複数の無線タグと通信する通信手段（３０）を有する無線タグリーダ（１０）と、を備える無線タグシステム（１）であって、前記複数の無線タグは、所定のエリア（Ｓ）内に保管される複数の物品のそれぞれに付されて当該物品を特定するための物品特定情報が記憶される物品特定用タグ（８１〜８６）と、前記所定のエリアを複数の単位エリア（Ｓ１〜Ｓ９）に区画した単位エリアごとに配置されて当該単位エリアを特定するためのエリア特定情報が記憶されるエリア特定用タグ（７１〜７９）とにより構成され、保管位置の確認対象となる前記物品特定情報と前記エリア特定情報とが関連付けられて記憶される記憶手段（５）を備え、前記無線タグリーダは、保管位置の確認作業の際に前記通信手段により前記物品特定用タグと通信した際に前記エリア特定用タグとも通信すると、当該通信により読み取られた前記物品特定情報について、当該物品特定情報に関連付けられて前記記憶手段に記憶される前記エリア特定情報と前記通信により読み取られた前記エリア特定情報とを比較する比較手段（２１）と、前記比較手段による比較結果に応じた所定の制御を行う制御手段（２１）と、を備え、前記無線タグリーダを携帯する読取作業者が前記複数の単位エリアの全てを所定の順番で移動することで、前記通信手段による前記物品特定用タグおよび前記エリア特定用タグとの通信により読み取られる前記物品特定情報および前記エリア特定情報とこの読取順番とが関連付けられて前記記憶手段に記憶され、前記無線タグリーダは、前記保管位置の確認作業の際に、前記記憶手段に記憶される前記物品特定情報および前記エリア特定情報と前記読取順番とに基づいて前記所定の順番を求めてこの所定の順番に応じた確認作業時の推奨ルートを作成する推奨ルート作成手段と、前記推奨ルート作成手段により作成された前記推奨ルートが表示される表示手段と、を備えることを特徴とする。
なお、上記各括弧内の符号は、後述する実施形態に記載の具体的手段との対応関係を示すものである。
【発明の効果】
【０００８】
請求項１の発明では、複数の無線タグは、所定のエリア内に保管される複数の物品のそれぞれに付されて当該物品を特定するための物品特定情報が記憶される物品特定用タグと、所定のエリアを複数の単位エリアに区画した単位エリアごとに配置されて当該単位エリアを特定するためのエリア特定情報が記憶されるエリア特定用タグとにより構成されている。そして、保管位置の確認対象となる物品特定情報とエリア特定情報とが関連付けられて記憶手段に記憶されている。そして、無線タグリーダでは、保管位置の確認作業の際に通信手段により物品特定用タグと通信した際にエリア特定用タグとも通信すると、当該通信により読み取られた物品特定情報について、当該物品特定情報に関連付けられて記憶手段に記憶されるエリア特定情報と通信により読み取られたエリア特定情報とが比較手段により比較され、この比較結果に応じた所定の制御が制御手段により行われる。
【０００９】
このように、単位エリアごとにエリア特定用タグが配置されているので、１度の読取処理で物品特定用タグとともに読み取られるエリア特定用タグから、その物品特定用タグが付された物品が配置される単位エリア、すなわち、保管位置を特定することができる。特に、比較手段による比較結果から、読み取られた物品特定情報について、関連して記憶手段に記憶されるエリア特定情報と読み取られたエリア特定情報とが一致していれば確認対象の物品が移動していないと判断でき、記憶手段に記憶されるエリア特定情報と読み取られたエリア特定情報とが一致していなければ確認対象の物品が移動していると判断できる。すなわち、確認対象の物品が移動しているか否かを把握できるので、無線タグが付された物品の保管位置を容易に管理することができる。
【００１０】
特に、無線タグリーダを携帯する読取作業者が複数の単位エリアの全てを所定の順番で移動することで、通信手段による物品特定用タグおよびエリア特定用タグとの通信により読み取られる物品特定情報およびエリア特定情報とこの読取順番とが関連付けられて記憶手段に記憶される。そして、無線タグリーダでは、保管位置の確認作業の際に、記憶手段に記憶される物品特定情報およびエリア特定情報と読取順番とに基づいて上記所定の順番を求めてこの所定の順番に応じた確認作業時の推奨ルートが推奨ルート作成手段により作成されて表示手段に表示される。
【００１１】
これにより、保管位置の確認対象となる物品特定情報およびエリア特定情報を実際に読み取って作り込む際に移動したルートが考慮されるように推奨ルートが作成される。このため、表示手段に表示された推奨ルートに従って無線タグリーダを携帯して移動することで、例えば、保管位置の確認対象の物品が保管されていない単位エリアに向かう移動をなくすこともできるので、無線タグが付された物品の保管位置を容易かつ効率よく管理することができる。
【００１２】
請求項２の発明では、推奨ルート作成手段により、推奨ルートの作成時に通信手段により通信されたエリア特定用タグのエリア特定情報から特定される単位エリアをも考慮して推奨ルートが作成される。
【００１３】
推奨ルートの作成時に通信手段により通信されたエリア特定用タグから特定される単位エリアは、読取作業者が確認作業を開始しようとしている作業開始の単位エリアなので、例えば、この単位エリアを出発点とするように推奨ルートを作成することで、より実状に沿った利便性の高い推奨ルートを表示することができる。
【００１４】
請求項６の発明では、比較手段により一致しないエリア特定情報に関連付けられる物品特定情報について、当該物品特定情報が記憶される物品特定用タグを付した物品が他の単位エリアへの移動している旨が報知される。これにより、確認対象の物品が移動している場合でも、どの物品がどの単位エリアに移動しているかを容易に把握することができる。
【００１５】
請求項３の発明では、比較手段により一致しないエリア特定情報に関連付けられる物品特定情報について、当該物品特定情報に移動不可情報が含まれていると、読み取られた物品特定用タグを付した物品について移動が許可されていない旨が報知される。これにより、どの物品がどの単位エリアに移動しているかを把握できるだけでなく、その移動された物品を元に戻すための処置を読取作業者に対して促すことができる。
【００１６】
請求項４の発明では、さらに、移動不可情報が含まれている物品特定情報について、記憶手段に関連付けられて記憶されているエリア特定情報に関する情報が報知される。これにより、移動前の単位エリア、すなわち、元の保管位置を把握できるので、移動が許可されていない物品を元の保管位置に容易に戻すことができる。
【００１７】
請求項５の発明では、比較手段により一致しないエリア特定情報に関連付けられる物品特定情報について、当該物品特定情報に移動許可情報が含まれていると、移動が許可されている物品が他の単位エリアに移動している旨が報知される。これにより、どの物品がどの単位エリアに移動しているかを把握できるだけでなく、その物品の移動が移動を許可されているか否かを容易に把握することができる。
【図面の簡単な説明】
【００１８】
【図１】第１実施形態に係る無線タグシステムの構成概要を示す説明図である。
【図２】各エリア特定用タグが対応する単位エリアに配置された状態を説明する説明図である。
【図３】図１の無線タグリーダの構成概要を示す説明図であり、図３（Ａ）は平面図を示し、図３（Ｂ）は側面図を示す。
【図４】図４（Ａ）は、図１の無線タグリーダの電気的構成を例示するブロック図であり、図４（Ｂ）は、図４（Ａ）の無線タグ処理部を概略的に例示するブロック図であり、図４（Ｃ）は、図４（Ａ）の情報コード読取部を概略的に例示するブロック図である。
【図５】図１の無線タグの電気的構成を概略的に例示するブロック図である。
【図６】図１のサーバの電気的構成を例示するブロック図である。
【図７】保管位置確認対象の物品とこの物品に付された物品特定用タグに記憶される物品特定情報との関係を示す説明図である。
【図８】初回棚卸実施時に各物品が配置されている単位エリアを説明する説明図である。
【図９】第１実施形態に係る無線タグリーダの制御部による棚卸データ作成処理の流れを例示するフローチャートである。
【図１０】図１０（Ａ）は、最初の単位エリアにて取得された棚卸データを説明する説明図であり、図１０（Ｂ）は、初回棚卸が完了したときの棚卸データを説明する説明図である。
【図１１】初回以降棚卸実施時に各物品が配置されている単位エリアを説明する説明図である。
【図１２】第１実施形態に係る無線タグリーダの制御部による棚卸処理の流れを例示するフローチャートである。
【図１３】図１２の移動可否判定処理のサブルーチンの流れを例示するフローチャートである。
【図１４】報知表示処理による表示部における表示状態の一例を示す説明図である。
【図１５】選択表示処理による表示部における表示状態の一例を示す説明図である。
【図１６】警告表示処理による表示部における表示状態の一例を示す説明図である。
【図１７】初回以降の棚卸が完了したときの棚卸データを説明する説明図である。
【図１８】第２実施形態において初回棚卸が完了したときの棚卸データを説明する説明図である。
【図１９】推奨ルートが表示されたマップを示す説明図である。
【図２０】作業開始位置を考慮して推奨ルートが表示されたマップを示す説明図である。
【発明を実施するための形態】
【００１９】
［第１実施形態］
以下、本発明に係る無線タグシステムを具現化した第１実施形態について、図面を参照して説明する。
本実施形態に係る無線タグシステム１は、図１に示すように、複数の無線タグ（ＲＦＩＤタグ）６０と、これら各無線タグ６０と通信可能な無線タグリーダ１０と、無線タグリーダ１０と通信可能なサーバ２とを備えている。この無線タグシステム１は、無線タグリーダ１０を用いて管理対象となる各物品のそれぞれに付される無線タグ６０に記録される情報を読み取って所定のネットワークＮを介してサーバ２に送信することで、各物品の保管状況等をサーバ２にて管理するためのシステムである。なお、図１では、便宜上、複数の無線タグ６０のうち２つのみ図示している。
【００２０】
特に、無線タグシステム１は、図２に示すような所定のエリアＳ内に保管される複数の物品（資産）について棚卸等の際に各物品の保管位置を管理するためのシステムとして構成されている。複数の無線タグ６０は、所定のエリアＳ内に保管される複数の物品のそれぞれに付されて当該物品を特定するための物品特定情報が記憶される物品特定用タグと、所定のエリアＳを複数の単位エリアに区画した単位エリアごとに配置されて当該単位エリアを特定するためのエリア特定情報が記憶されるエリア特定用タグとにより構成される。
【００２１】
本実施形態では、図２に例示するように、所定のエリアＳが９つの単位エリアＳ１〜Ｓ９に区画されており、その単位エリアの中心にエリア特定用タグ７１〜７９がそれぞれ配置されている。エリア特定用タグ７１〜７９は、その単位エリアの中心近傍に位置する柱または棚等に設置されており、複数のエリア特定用タグが同時に読み取られないような構成となっている。図２に例示するように、各エリア特定用タグ７１〜７９には、エリア特定情報の一部としてＩＤ「１００１」〜「１００９」がそれぞれ記憶されている。
【００２２】
まず、無線タグリーダ１０の構成について、図面を参照して説明する。
図３（Ａ），（Ｂ）に示す無線タグリーダ１０は、ユーザによって携帯されて様々な場所で用いられる携帯型の情報端末として構成されており、アンテナを介して送受信される電波を媒介として無線タグ６０に記憶されている情報を読み書きする機能に加えて、バーコードや二次元コードなどの情報コードを読み取る情報コードリーダとしての機能を兼ね備え、読み取りを二方式で行いうる構成となっている。
【００２３】
図３（Ａ），（Ｂ）に示すように、無線タグリーダ１０は、ＡＢＳ樹脂等の合成樹脂材料により形成される上側ケース１１ａおよび下側ケース１１ｂが組み付けられて構成される長手状の筐体１１によって外郭が形成されている。また、上側ケース１１ａには、所定の情報を入力する際に操作されるファンクションキーおよびテンキー等のキー操作部２５や、所定の情報を表示するための表示部２４等が配置されている。また、下側ケース１１ｂには、下方に向けて開口する読取口１２が形成されている。
【００２４】
図４（Ａ）に示すように、無線タグリーダ１０の筐体１１内には、無線タグリーダ１０全体を制御する制御部２１が設けられている。この制御部２１は、マイコンを主体として構成されるものであり、ＣＰＵ、システムバス、入出力インタフェース等を有し、メモリ２２とともに情報処理装置を構成している。メモリ２２には、後述するタグ特性取得処理やタグ探索処理を実行するための所定のプログラム等が制御部２１により実行可能に予め格納されている。また、制御部２１には、ＬＥＤ２３、表示部２４、キー操作部２５、バイブレータ２６、ブザー２７、外部インタフェース２８などが接続されている。
【００２５】
キー操作部２５は、制御部２１に対して操作信号を与える構成をなしており、制御部２１は、この操作信号を受けて操作信号の内容に応じた動作を行う。また、ＬＥＤ２３、表示部２４、バイブレータ２６およびブザー２７は、制御部２１によって制御される構成をなしており、それぞれ、制御部２１からの指令を受けて動作する。外部インタフェース２８は、サーバ２等の外部機器との間で上記ネットワークＮ等を介してデータ通信を行うためのインタフェースとして構成されており、制御部２１と協働して通信処理を行う構成をなしている。また、筐体１１内には、電源部２９が設けられており、この電源部２９やバッテリ２９ａによって制御部２１や各種電気部品に電力が供給されるようになっている。
【００２６】
また、制御部２１には、無線タグ処理部３０および情報コード読取部４０が接続されている。
まず、無線タグ処理部３０について、図４（Ｂ）を用いて説明する。
無線タグ処理部３０は、アンテナ３４および制御部２１と協働して無線タグ６０との間で電磁波による通信を行ない、無線タグ６０に記憶されるデータの読取り、或いは無線タグ６０に対するデータの書込みを行なうように機能するものである。この無線タグ処理部３０は、公知の電波方式で伝送を行う回路として構成されており、図４（Ｂ）にて概略的に示すように、送信回路３１、受信回路３２、整合回路３３などを有している。
【００２７】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３４に出力している。このようにしてアンテナ３４に送信信号が出力されると、その送信信号が送信電波として当該アンテナ３４より外部に放射される。
【００２８】
一方、アンテナ３４によって受信された応答信号は、整合回路３３を介して受信回路３２に入力される。この受信回路３２は、受信部フィルタ、増幅器、復調部、二値化処理部、複号化部などによって構成されており、アンテナ３４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。なお、無線タグ処理部３０は、「通信手段」の一例に相当し得る。
【００２９】
ここで、無線タグリーダ１０の読取対象となる無線タグ６０の電気的構成について、図５を参照して説明する。
図５に示すように、無線タグ６０は、アンテナ６１，電源回路６２，復調回路６３，制御回路６４，メモリ６５，変調回路６６などによって構成されている。電源回路６２は、アンテナ６１を介して受信した無線タグリーダ１０からの送信信号（キャリア信号）を整流、平滑して動作用電源を生成するものであり、その動作用電源を、制御回路６４をはじめとする各構成要素に供給している。
【００３０】
また、復調回路６３は、送信信号（キャリア信号）に重畳されているデータを復調して制御回路６４に出力している。メモリ６５は、ＲＯＭ，ＥＥＰＲＯＭ等の各種半導体メモリによって構成されており、制御プログラムや無線タグ６０を識別するための識別情報（タグＩＤ）、或いは無線タグ６０の用途に応じたデータなどが記憶されている。制御回路６４は、メモリ６５から上記情報やデータを読み出し、それを送信データとして変調回路６６に出力する構成をなしており、変調回路６６は、応答信号（キャリア信号）を当該送信データで負荷変調してアンテナ６１から反射波として送信するように構成されている。
【００３１】
次に、情報コード読取部４０について、図４（Ｃ）を用いて説明する。
情報コード読取部４０は、情報コードを光学的に読み取るように機能するもので、図４（Ｃ）に示すように、ＣＣＤエリアセンサからなる受光センサ４３、結像レンズ４２、複数個のＬＥＤやレンズ等から構成される照明部４１などを備えた構成をなしており、制御部２１と協働して読取対象Ｒに付された情報コードＣ（バーコードや二次元コード）を読み取るように機能する。
【００３２】
この情報コード読取部４０によって読み取りを行う場合、まず、制御部２１によって指令を受けた照明部４１から照明光Ｌｆが出射され、この照明光Ｌｆが読取口１２を通って読取対象Ｒに照射される。そして、照明光Ｌｆが情報コードＣにて反射した反射光Ｌｒは読取口１２を通って装置内に取り込まれ、結像レンズ４２を通って受光センサ４３に受光される。読取口１２と受光センサ４３との間に配される結像レンズ４２は、情報コードＣの像を受光センサ４３上に結像させる構成をなしており、受光センサ４３はこの情報コードＣの像に応じた受光信号を出力する。受光センサ４３から出力された受光信号は、画像データとしてメモリ２２（図４（Ａ））に記憶され、情報コードＣに含まれる情報を取得するためのデコード処理に用いられるようになっている。なお、情報コード読取部４０には、受光センサ４３からの信号を増幅する増幅回路や、その増幅された信号をデジタル信号に変換するＡＤ変換回路等が設けられているがこれらの回路については図示を省略している。
【００３３】
次に、サーバ２の構成について、図６を参照して説明する。
サーバ２は、例えばコンピュータとして構成され、図６に示すように、ＣＰＵ等からなる制御部３、液晶モニタ等として構成される表示部４、ＲＯＭ、ＲＡＭ、ＨＤＤ等からなる記憶部５、マウスやキーボード等として構成される操作部６、通信インタフェースとして構成される通信部７などを備えている。記憶部５には、管理対象の物品に関する情報やその物品に付された無線タグ６０のＩＤ等が関連付けられて記憶されるデータベースが構築されており、制御部３は、通信部７を介して無線タグリーダ１０から受信したされたタグ情報等を上記データベースに記憶するように機能する。また、記憶部５のデータベースは、後述する棚卸データが制御部３により読み書き可能に構成されている。なお、記憶部５は、「記憶手段」の一例に相当し得る。
【００３４】
次に、無線タグリーダ１０を利用して所定のエリアＳ内に保管される各物品の保管位置を確認する作業（棚卸作業）の際に当該無線タグリーダ１０にて実施される各処理について、図７に示す各物品が所定のエリアＳ内に保管される場合を例に詳述する。ここで、図７に示すように、保管位置の確認対象（棚卸対象）となる各物品に対して、「固定計測器Ａ」には物品特定情報の一部としてＩＤ「０００１」が記憶された物品特定用タグ８１が付されており、「固定計測器Ｂ」には物品特定情報の一部としてＩＤ「０００２」が記憶された物品特定用タグ８２が付されており、「計測器Ａ」には物品特定情報の一部としてＩＤ「０００３」が記憶された物品特定用タグ８３が付されており、「計測器Ｂ」には物品特定情報の一部としてＩＤ「０００４」が記憶された物品特定用タグ８４が付されており、「パソコンＡ」には物品特定情報の一部としてＩＤ「０００５」が記憶された物品特定用タグ８５が付されており、「パソコンＢ」には物品特定情報の一部としてＩＤ「０００６」が記憶された物品特定用タグ８６が付されているものとする。
【００３５】
また、本実施形態では、物品特定情報には、物品特定用タグを付した物品が他の単位エリアへの移動を許可されているか否かについて、移動が許可されていることを示す移動許可情報と移動が許可されない移動不可情報とのいずれか一方が含まれている。具体的には、図７に例示するように、「固定計測器Ａ」および「固定計測器Ｂ」が移動を許可されていないことから、物品特定用タグ８１，８２に記憶される物品特定情報には、移動不可情報（図７の「不可」参照）が含まれている。また、「計測器Ａ」、「計測器Ｂ」、「パソコンＡ」、「パソコンＢ」が移動を許可されていることから、物品特定用タグ８３〜８６に記憶される物品特定情報には、移動許可情報（図７の「可」参照）が含まれている。図７に例示する情報は、管理情報として、サーバ２における記憶部５のデータベースに記憶されることで管理されている。
【００３６】
そして、初回棚卸時には、図８からわかるように、「固定計測器Ａ」、「固定計測器Ｂ」、「計測器Ａ」は、単位エリアＳ１内の棚等に保管され、「計測器Ｂ」、「パソコンＡ」は、単位エリアＳ５内の棚等に保管され、「パソコンＢ」は、単位エリアＳ９内の棚等に保管されているものとする。なお、図８では、便宜上、各物品の図示を省略して物品特定用タグ８１〜８６を図示している。
【００３７】
まず、初回棚卸時に実施される棚卸データ作成処理について、図９に示すフローチャートを参照して説明する。
無線タグリーダ１０を携帯する読取作業者が所定のエリアＳ内にてキー操作部２５に対して所定の操作を行うことで、制御部２１により棚卸データ作成処理が開始されると、図９のステップＳ１０１に示す管理情報取得処理がなされる。この処理では、図７に例示する管理情報が外部インタフェース２８を介してサーバ２から取得される。次に、ステップＳ１０３に示すタグ読取処理にて、通信可能な範囲の無線タグ６０に対する通信がなされ、いずれかの無線タグ６０からデータを取得するまでステップＳ１０５にてＮｏとの判定が繰り返される。
【００３８】
そして、読取作業者が各単位エリアＳ１〜Ｓ９のうちまず単位エリアＳ１に移動すると、この単位エリアＳ１に保管されている物品に付された物品特定用タグとエリア特定用タグ７１とが読み取られて、ステップＳ１０５にてＹｅｓと判定される。単位エリアＳ１には、上述したように「固定計測器Ａ」、「固定計測器Ｂ」、「計測器Ａ」が保管されているため、物品特定用タグ８１〜８３とエリア特定用タグ７１とが１度に読み取られることとなる。なお、この１度の読み取りで、物品特定用タグ８１、エリア特定用タグ７１、物品特定用タグ８２、物品特定用タグ８３の順番で読み取られたものとする。
【００３９】
上述のように物品特定用タグやエリア特定用タグを含めた複数の無線タグ６０が読み取られると、その読み取り順にステップＳ１０７に示す判定処理以降の処理がなされる。まず、物品特定用タグ８１が読み取られており（Ｓ１０７でＹｅｓ）、読み取った物品特定情報のＩＤが上記ステップＳ１０１にて取得した管理情報に存在する保管位置の管理対象の物品であることから、ステップＳ１０９に示す判定処理にてＹｅｓと判定され、棚卸データに物品特定用タグ８１のＩＤ「０００１」がセットされる（Ｓ１１１）。
【００４０】
次に、ステップＳ１１３に示す判定処理にて、エリア情報がセットされているか否かについて判定され、エリア特定用タグ７１を読み取っていない現段階では、Ｎｏと判定される。そして、上記ステップＳ１０３にて読み取った無線タグ６０の全てを考慮して棚卸データがセットされていないので、ステップＳ１２５にてＮｏと判定されて、上記ステップＳ１０７からの処理がなされる。
【００４１】
物品特定用タグ８１の次にエリア特定用タグ７１が読み取られているため（Ｓ１０７でＮｏ、Ｓ１１７でＹｅｓ）、ステップＳ１１９に示す判定処理にて、棚卸データについてエリア情報が設定されていないＩＤがセットされているか否かについて判定される。ここで、上述のように、棚卸データでは、エリア情報が設定されることなく物品特定用タグ８１のＩＤ「０００１」がセットされているため、上記ステップＳ１１９にてＹｅｓと判定されて、このＩＤ「０００１」に対してエリア特定用タグ７１のＩＤ「１００１」が設定される（Ｓ１２１）。そして、以降の物品特定用タグのＩＤに対するエリア情報が全てエリア特定用タグ７１のＩＤ「１００１」にセットされる（Ｓ１２３）。なお、複数の無線タグ６０のうち最初にエリア特定用タグが読み取られている場合には、ステップＳ１１９にてＮｏと判定されて、ステップＳ１２３に示すエリア情報設定処理がなされる。そして、上記ステップＳ１０３にて読み取った無線タグ６０の全てを考慮して棚卸データがセットされていないので、ステップＳ１２５にてＮｏと判定されて、上記ステップＳ１０７からの処理がなされる。
【００４２】
エリア特定用タグ７１の次に物品特定用タグ８２が読み取られているため（Ｓ１０７でＹｅｓ、Ｓ１０９でＹｅｓ）、棚卸データに物品特定用タグ８２のＩＤ「０００２」がセットされる（Ｓ１１１）。そして、上記ステップＳ１２３にてエリア情報がセットされていることから（Ｓ１１３でＹｅｓ）、物品特定用タグ８２のＩＤ「０００２」に対してエリア特定用タグ７１のＩＤ「１００１」が設定される（Ｓ１１５）。そして、上記ステップＳ１０３にて読み取った無線タグ６０の全てを考慮して棚卸データがセットされていないので、ステップＳ１２５にてＮｏと判定されて、上記ステップＳ１０７からの処理がなされる。
【００４３】
物品特定用タグ８２の次に物品特定用タグ８３が読み取られているため（Ｓ１０７でＹｅｓ、Ｓ１０９でＹｅｓ）、棚卸データに物品特定用タグ８３のＩＤ「０００３」がセットされる（Ｓ１１１）。そして、上記ステップＳ１２３にてエリア情報がセットされていることから（Ｓ１１３でＹｅｓ）、物品特定用タグ８３のＩＤ「０００３」に対してエリア特定用タグ７１のＩＤ「１００１」が設定される（Ｓ１１５）。これにより、上記ステップＳ１０３にて読み取った無線タグ６０の全てについて棚卸データが設定されたことから（Ｓ１２５でＹｅｓ）、ステップＳ１２７に示すデータ作成処理がなされ、図１０（Ａ）に示すように棚卸データが日時情報を含めるように設定（更新）されて、単位エリアＳ１での棚卸データ作成処理が終了する。なお、上記管理情報取得処理にて取得されていない物品特定用タグやエリア特定用タグと異なる無線タグ６０、１度読み取った無線タグ６０では、上記ステップＳ１０７に示す判定処理にてＮｏと判定されるとともに上記ステップＳ１１７に示す判定処理にてＮｏと判定されて、上記Ｓ１０７からの処理が繰り返される。
【００４４】
上述のように単位エリアＳ１での棚卸データ作成処理が終了すると、無線タグリーダ１０を携帯する読取作業者が次の単位エリアＳ２以降の各単位エリアを順に移動し、それぞれの単位エリアにて同様に棚卸データ作成処理が実行されることで、図１０（Ｂ）に示すような棚卸データが更新される。このように作成された棚卸データは、保管位置の確認対象（棚卸対象）となる物品特定情報とエリア特定情報とが関連付けられたデータとして、外部インタフェース２８を介してサーバ２に送信されて記憶部５のデータベースに記憶されることで、初回棚卸作業が終了する。
【００４５】
次に、初回以降の棚卸作業について説明する。以下の説明では、図８の各物品の配置に対して、図１１からわかるように、物品特定用タグ８１が付された「固定計測器Ａ」が単位エリアＳ７内に移動され、物品特定用タグ８３が付された「計測器Ａ」が単位エリアＳ３内に移動されている場合について説明する。
以下、初回以降の棚卸時に実施される棚卸処理について、図１２および図１３に示すフローチャートを参照して説明する。
【００４６】
無線タグリーダ１０を携帯する読取作業者が所定のエリアＳ内にてキー操作部２５に対して所定の操作を行うことで、制御部２１により棚卸処理が開始されると、図１２のステップＳ２０１に示す管理情報取得処理がなされる。この処理では、図７に例示する管理情報および上述のように作成された前回の棚卸データ（図１０（Ｂ）参照）が外部インタフェース２８を介してサーバ２から取得される。次に、ステップＳ２０３に示すマップ表示処理がなされ、上記ステップＳ２０１にて取得した前回の棚卸データから上記図８に示すような管理対象の物品と配置される単位エリアとの関係を示すマップが作成されて表示部２４に表示される。なお、上記マップ表示処理では、管理対象の物品が配置される単位エリアを、管理対象の物品が配置されない単位エリアに対して強調するように表示してもよい。
【００４７】
次に、ステップＳ２０５に示すタグ読取処理にて、通信可能な範囲の無線タグ６０に対する通信がなされ、いずれかの無線タグ６０からデータを取得するまでステップＳ２０７５にてＮｏとの判定が繰り返される。
【００４８】
そして、読取作業者が単位エリアＳ１に移動すると、この単位エリアＳ１に保管されている物品に付された物品特定用タグとエリア特定用タグ７１とが読み取られて、ステップＳ２０７にてＹｅｓと判定される。単位エリアＳ１には、初回棚卸時と異なり物品特定用タグ８２が付された「固定計測器Ｂ」が保管されているため、物品特定用タグ８２とエリア特定用タグ７１とが１度に読み取られることとなる。なお、この１度の読み取りで、物品特定用タグ８２、エリア特定用タグ７１の順番で読み取られたものとする。
【００４９】
上述のように物品特定用タグやエリア特定用タグを含めた複数の無線タグ６０が読み取られると、その読み取り順にステップＳ２０９に示す判定処理以降の処理がなされる。まず、物品特定用タグ８２が読み取られていることから（Ｓ２０９でＹｅｓ）、ステップＳ２１１に示す判定処理にて、エリア情報がセットされているか否かについて判定され、エリア特定用タグ７１を読み取っていない現段階では、Ｎｏと判定される。この場合には、棚卸データに物品特定用タグ８２のＩＤ「０００２」がセットされる（Ｓ２１３）。そして、上記ステップＳ２０５にて読み取った無線タグ６０の全てを考慮して棚卸データがセットされていないので、ステップＳ２２９にてＮｏと判定されて、上記ステップＳ２０９からの処理がなされる。
【００５０】
物品特定用タグ８２の次にエリア特定用タグ７１が読み取られているため（Ｓ２０９でＮｏ、Ｓ２１５でＹｅｓ）、ステップＳ２１７に示す判定処理にて、棚卸データについてエリア情報が設定されていないＩＤがセットされているか否かについて判定される。ここで、上述のように、棚卸データでは、エリア情報が設定されることなく物品特定用タグ８２のＩＤ「０００２」がセットされているため、上記ステップＳ２１７にてＹｅｓと判定されて、このＩＤ「０００２」に対してエリア特定用タグ７１のＩＤ「１００１」が設定される（Ｓ２１９）。
【００５１】
続いて、ステップＳ２２１に示す移動可否判定処理がなされる。この判定処理は、上記ステップＳ２０５のタグ読取処理の結果、読み取られた物品特定用タグを付した物品が移動していると判断される場合に、この移動可否を判定するための処理である。上述のように上記ステップＳ２０５のタグ読取処理にて読み取られた物品特定用タグを付した物品が移していないため、詳細は後述する。そして、以降の物品特定用タグのＩＤに対するエリア情報が全てエリア特定用タグ７１のＩＤ「１００１」にセットされる（Ｓ２２３）。これにより、上記ステップＳ２０５にて読み取った無線タグ６０の全てについて棚卸データが設定されたことから（Ｓ２２９でＹｅｓ）、ステップＳ２３１に示すデータ作成処理がなされ、棚卸データが日時情報を含めるように設定（更新）されて、単位エリアＳ１での棚卸データ作成処理が終了する。
【００５２】
上述のように単位エリアＳ１での棚卸データ作成処理が終了すると、無線タグリーダ１０を携帯する読取作業者が次の単位エリアＳ２以降の各単位エリアを順に移動し、それぞれの単位エリアにて同様に棚卸データ作成処理が実行される。そして、単位エリアＳ３での棚卸データ作成処理では、物品特定用タグ８３とエリア特定用タグ７３とが１度に読み取られ、物品特定用タグ８３、エリア特定用タグ７３の順に読み取られている場合には、物品特定用タグ８３のＩＤ「０００３」に対してエリア特定用タグ７３のＩＤ「１００３」が設定され（Ｓ２１９）、ステップＳ２２１に示す移動可否判定処理がなされる。一方、エリア特定用タグ７３、物品特定用タグ８３の順に読み取られている場合には、同様に物品特定用タグ８３のＩＤ「０００３」に対してエリア特定用タグ７３のＩＤ「１００３」が設定され（Ｓ２２５）、ステップＳ２２７に示す移動可否判定処理がなされる。
【００５３】
上記移動可否判定処理（Ｓ２２１またはＳ２２７）のサブルーチンでは、まず、図１３のステップＳ３０１に示す判定処理にて、物品特定用タグ８３のＩＤ「０００３」とエリア特定用タグ７３のＩＤ「１００３」との組み合わせが上記ステップＳ２０１にて取得された管理情報と一致するか否かについて比較判定される。すなわち、当該物品特定情報に関連付けられてサーバ２の記憶部５に記憶されるエリア特定情報と通信（Ｓ２０５）により読み取られたエリア特定情報とが比較判定される。
【００５４】
ここで、上述したように物品特定用タグ８３を付した物品が単位エリアＳ１から単位エリアＳ３に移動されているので、一致していないとしてステップＳ３０１にてＮｏと判定される。なお、上述した単位エリアＳ１では、物品特定用タグ８２のＩＤ「０００２」とエリア特定用タグ７１のＩＤ「１００１」との組み合わせが上記ステップＳ２０１にて取得された管理情報と一致するため、ステップＳ３０１にてＹｅｓと判定されて、本サブルーチンが終了する。なお、ステップＳ３０１の判定処理を実施する制御部２１は、「比較手段」の一例に相当し得る。
【００５５】
上述のようにステップＳ３０１にてＮｏと判定されると、ステップＳ３０３にて報知表示処理がなされる。この処理では、例えば、図１４に例示するように、「計測器Ａが移動されています」等の棚卸対象の物品が移動していることを示す文字情報が物品名とともに表示部２４に表示される。なお、ステップＳ３０３の報知表示処理を実施する制御部２１は、「制御手段」の一例に相当し得る。
【００５６】
続いて、ステップＳ３０５に示す判定処理にて、その物品が移動許可されているか否かについて判定される。この判定は、その物品に付された物品特定用タグに記憶されている物品特定用情報に基づいてなされるもので、物品特定用タグ８３に記憶される物品特定用情報には移動許可情報が含まれているのでＹｅｓと判定される。そして、ステップＳ３０７に示す選択表示処理がなされ、例えば、図１５に例示するように、「計測器Ａが移動されています  登録内容を変更しますか？」等の登録内容を変更するか否かの選択を促す情報が物品名とともに表示部２４に表示される。なお、ステップＳ３０７の選択表示処理を実施する制御部２１は、「制御手段」の一例に相当し得る。
【００５７】
そして、読取作業者の操作に応じて登録内容の変更を許可する選択がなされると（Ｓ３０９でＹｅｓ）、ステップＳ３１１に示すエリア情報更新処理がなされる。この処理では、物品特定用タグ８３のＩＤ「０００３」に対してエリア特定用タグ７３のＩＤ「１００３」が設定されるように更新されて、本サブルーチンが終了する。
【００５８】
一方、読取作業者の操作に応じて登録内容の変更を許可しない選択がなされると（Ｓ３０９でＮｏ）、ステップＳ３１３に示す警告表示処理がなされる。この処理では、例えば、図１６に例示するように、「計測器Ａが移動されています  計測器Ａを棚（Ｓ１）に戻してください」等の物品を元の位置に戻すことを促す情報が、物品名および元の単位エリアを示す情報とともに表示部２４に表示される。なお、ステップＳ３１３の警告表示処理を実施する制御部２１は、「制御手段」の一例に相当し得る。
【００５９】
続いて、ステップＳ３１５に示す警告履歴情報設定処理がなされ、上記ステップＳ３１３にて警告表示された物品特定用タグのＩＤとエリア特定用タグのＩＤが警告履歴情報として設定されて、本サブルーチンが終了する。上述の例では、物品特定用タグ８３のＩＤ「０００３」とエリア特定用タグ７３のＩＤ「１００３」とが警告履歴情報として設定される。このように警告履歴情報が設定されることで、この警告履歴情報に基づいて次回以降の棚卸処理時にも元の位置（単位エリア）に戻されていないと判断される場合には、上記ステップＳ３１３の警告表示処理にてさらに警告度が高い警告表示をすることができる。
【００６０】
上述のようにして移動可否判定処理がなされた後、上記ステップＳ２０５にて読み取った無線タグ６０の全てについて棚卸データが設定されたことから（Ｓ２２９でＹｅｓ）、棚卸データが日時情報を含めるように設定（更新）されると（Ｓ２３１）、単位エリアＳ３での棚卸データ作成処理が終了する。そして、単位エリアＳ４〜Ｓ６での棚卸データ作成処理が終了し、無線タグリーダ１０を携帯する読取作業者が単位エリアＳ７に移動することで、単位エリアＳ７での棚卸処理が以下のようになされる。
【００６１】
単位エリアＳ７での棚卸処理では、物品特定用タグ８１とエリア特定用タグ７７とが１度に読み取られ、物品特定用タグ８１エリア特定用タグ７７の順に読み取られている場合には、物品特定用タグ８１のＩＤ「０００１」に対してエリア特定用タグ７７のＩＤ「１００７」が設定され（Ｓ２１９）、ステップＳ２２１に示す移動可否判定処理がなされる。一方、エリア特定用タグ７７、物品特定用タグ８１の順に読み取られている場合には、同様に物品特定用タグ８１のＩＤ「０００１」に対してエリア特定用タグ７７のＩＤ「１００７」が設定され（Ｓ２２５）、ステップＳ２２７に示す移動可否判定処理がなされる。
【００６２】
上記移動可否判定処理（Ｓ２２１またはＳ２２７）のサブルーチンでは、物品特定用タグ８１のＩＤ「０００１」とエリア特定用タグ７７のＩＤ「１００７」との組み合わせが上記ステップＳ２０１にて取得された管理情報と一致しないため（Ｓ３０１でＮｏ）、ステップＳ３０３にて報知表示処理がなされる。そして、物品特定用タグ８１に記憶される物品特定用情報には移動不可情報が含まれているので、ステップＳ３０５にてＮｏと判定されて、上述のように登録内容の変更を促すことなく、ステップＳ３１３に示す警告表示処理がなされる。続いて、ステップＳ３１７に示す警告履歴情報設定処理がなされ、上記ステップＳ３１３にて警告表示された物品特定用タグのＩＤとエリア特定用タグのＩＤが警告履歴情報として設定されて、本サブルーチンが終了する。
【００６３】
上述のように単位エリアＳ７での棚卸処理が終了すると、無線タグリーダ１０を携帯する読取作業者が次の単位エリアＳ８以降の各単位エリアを順に移動し、それぞれの単位エリアにて同様に棚卸処理が実行されることで、図１７に示すような棚卸データが更新される。上述のようにステップＳ３１１にて物品特定用タグ８３のＩＤ「０００３」に対してエリア特定用タグ７３のＩＤ「１００３」が設定されるように更新されているため、今回作成された棚卸データ（図１７参照）は、前回作成された棚卸データ（図１０（Ｂ））に対して、物品特定用タグ８３のＩＤ「０００３」に対するエリア特定情報が変更されることとなる。このように作成された棚卸データは、外部インタフェース２８を介してサーバ２に送信されることで、サーバ２にて今回作成された棚卸データが記憶部５のデータベースに追加等されるように記憶されてこの棚卸データを利用した所定の処理がなされる。
【００６４】
なお、上記ステップＳ２０３のマップ表示処理により、前回棚卸時の物品の配置がわかるため、物品の他の単位エリアへの移動がないことを前提に前回棚卸時に物品が配置されていた単位エリアを移動して上記棚卸処理を行ってもよい。すなわち、全ての単位エリアを移動する前に棚卸対象の物品に付された物品特定用タグが全て読み取られた時点で棚卸データを作成してサーバ２に送信してもよい。また、サーバ２へのデータ送信は、全ての物品特定用タグが読み取られることでなされることに限らず、例えば、上記棚卸処理が実施される単位エリアごとになされてもよい。
【００６５】
以上説明したように、本実施形態に係る無線タグシステム１では、複数の無線タグ６０は、所定のエリアＳ内に保管される複数の物品のそれぞれに付されて当該物品を特定するための物品特定情報が記憶される物品特定用タグ（８１〜８６）と、所定のエリアＳを複数の単位エリア（Ｓ１〜Ｓ９）に区画した単位エリアごとに配置されて当該単位エリアを特定するためのエリア特定情報が記憶されるエリア特定用タグ（７１〜７９）とにより構成されている。そして、保管位置の確認対象（棚卸対象）となる物品特定情報とエリア特定情報とが関連付けられた棚卸データがサーバ２の記憶部５に記憶されている。そして、無線タグリーダ１０では、保管位置の確認作業の際に物品特定用タグと通信した際にエリア特定用タグとも通信すると、当該通信により読み取られた物品特定情報について、サーバ２から取得した棚卸データにおいて当該物品特定情報に関連付けられるエリア特定情報と通信（Ｓ２０５）により読み取られたエリア特定情報とが比較され（Ｓ３０１）、この比較結果に応じた表示が行われる。
【００６６】
このように、単位エリアごとにエリア特定用タグが配置されているので、１度の読取処理で物品特定用タグとともに読み取られるエリア特定用タグから、その物品特定用タグが付された物品が配置される単位エリア、すなわち、保管位置を特定することができる。特に、上記ステップＳ３０１の判定処理による比較結果から、読み取られた物品特定情報について、サーバ２から取得したエリア特定情報と読み取られたエリア特定情報とが一致していれば確認対象の物品が移動していないと判断でき、サーバ２から取得したエリア特定情報と読み取られたエリア特定情報とが一致していなければ確認対象の物品が移動していると判断できる。すなわち、確認対象の物品が移動しているか否かを把握できるので、無線タグ（物品特定用タグ）が付された物品の保管位置を容易に管理することができる。
【００６７】
さらに、上記ステップＳ３０１の判定処理により一致しないエリア特定情報に関連付けられる物品特定情報について、当該物品特定情報が記憶される物品特定用タグを付した物品が他の単位エリアへの移動している旨が表示部２４に表示されて報知される（Ｓ３０３）。これにより、確認対象の物品が移動している場合でも、どの物品がどの単位エリアに移動しているかを容易に把握することができる。
【００６８】
特に、上記ステップＳ３０１の判定処理により一致しないエリア特定情報に関連付けられる物品特定情報について、当該物品特定情報に移動不可情報が含まれていると（Ｓ３０５でＮｏ）、読み取られた物品特定用タグを付した物品について移動が許可されていない旨が表示部２４に表示されて報知される（Ｓ３１３）。これにより、どの物品がどの単位エリアに移動しているかを把握できるだけでなく、その移動された物品を元に戻すための処置を読取作業者に対して促すことができる。
【００６９】
さらにまた、移動不可情報が含まれている物品特定情報について、サーバ２から取得したエリア特定情報に関する情報が表示部２４に表示されて報知される（Ｓ３１３）。これにより、移動前の単位エリア、すなわち、元の保管位置を把握できるので、移動が許可されていない物品を元の保管位置に容易に戻すことができる。
【００７０】
また、上記ステップＳ３０１の判定処理により一致しないエリア特定情報に関連付けられる物品特定情報について、当該物品特定情報に移動許可情報が含まれていると（Ｓ３０５でＹｅｓ）、移動が許可されている物品が他の単位エリアに移動している旨が表示部２４に表示されて報知される（Ｓ３０７）。これにより、どの物品がどの単位エリアに移動しているかを把握できるだけでなく、その物品の移動が移動を許可されているか否かを容易に把握することができる。
【００７１】
［第２実施形態］
次に、本発明の第２実施形態に係る無線タグシステムについて、図１８および図１９を参照して説明する。
本第２実施形態に係る無線タグシステム１は、上記ステップＳ１２７に示すデータ作成処理にて物品特定用タグの読取順番が付加されて棚卸データが作成され、棚卸作業時に無線タグリーダ１０を携帯する読取作業者が移動する推奨ルートが上記ステップＳ２０３に示すマップ表示処理にて表示される点が、上記第１実施形態に係る無線タグシステムと異なる。
【００７２】
本実施形態では、無線タグリーダ１０を携帯する読取作業者が複数の単位エリア（Ｓ１〜Ｓ９）の全てを所定の順番で移動することで、物品特定用タグ（８１〜８６）およびエリア特定用タグ（７１〜７９）との通信により読み取られる物品特定情報およびエリア特定情報とこの読取順番とが関連付けられて棚卸データが作成され、サーバ２の記憶部５に記憶される。
【００７３】
具体的には、例えば、図８に示す物品の配置状態にて、無線タグリーダ１０を携帯する読取作業者が単位エリアＳ１から順に単位エリアＳ９まで順に移動して上記棚卸データ作成処理がなされると、図１８に示すような読取順番が付加されて棚卸データが作成される。
【００７４】
そして、初回以降の棚卸時に実施される棚卸処理でのマップ表示処理では、上述のように作成された棚卸データの物品特定情報およびエリア特定情報と読取順番とに基づいて上記所定の順番を求めてこの所定の順番に応じた確認作業時の推奨ルートが作成されて、この推奨ルートが表示部２４に表示される。なお、上述のように推奨ルートを作成する制御部２１は、「推奨ルート作成手段」の一例に相当し、表示部２４は、「表示手段」の一例に相当し得る。
【００７５】
具体的には、例えば、図１８に示すような読取順番が付加されて棚卸データが作成されると、エリア特定情報が設定されていない単位エリア（物品特定用タグが付された物品が配置されていない単位エリア：図１８の例では単位エリアＳ２〜Ｓ４，Ｓ６〜Ｓ８）を除き、付加された読取順番を考慮した推奨ルートが、図１９に例示するように、矢印９０等を用いて表示部２４に表示される。
【００７６】
このように、保管位置の確認対象（棚卸対象）となる物品特定情報およびエリア特定情報を実際に読み取って作り込む際に移動したルートが考慮されるように推奨ルートが作成される。このため、表示部２４に表示された推奨ルート（矢印９０）に従って無線タグリーダ１０を携帯して移動することで、保管位置の確認対象（棚卸対象）の物品が保管されていない単位エリアに向かう移動をなくすこともできるので、無線タグ（物品特定用タグ）が付された物品の保管位置を容易かつ効率よく管理することができる。
【００７７】
本実施形態の変形例として、上記推奨ルートは、当該推奨ルートの作成時に通信されたエリア特定用タグのエリア特定情報から特定される単位エリアをも考慮して作成されてもよい。
【００７８】
推奨ルートの作成時に通信されたエリア特定用タグから特定される単位エリアは、読取作業者が確認作業を開始しようとしている作業開始の単位エリアなので、例えば、推奨ルートの作成時にエリア特定用タグ７６と通信している場合には、図２０に例示するように、単位エリアＳ６を出発点とするように推奨ルート（矢印９１，９０参照）を作成することで、より実状に沿った利便性の高い推奨ルートを表示することができる。
【００７９】
［他の実施形態］
なお、本発明は上記各実施形態に限定されるものではなく、例えば、以下のように具体化してもよい。
（１）所定のエリアＳは、９つの単位エリアＳ１〜Ｓ９に区画されることに限らず、当該所定のエリアＳの環境等に応じて、異なる個数の単位エリアに区画されてもよい。また、保管位置の確認対象（棚卸対象）となる物品は、６つに限らず、異なる個数であってもよい。
【００８０】
（２）本発明に係る無線タグリーダ１０は、１つの携帯型の情報端末として構成されることに限らず、例えば、表示部を有しないスキャナとこのスキャナと通信可能であって表示部を有するタブレット等、複数の携帯機器により構成されてもよい。
【００８１】
（３）本発明に係る無線タグリーダ１０は、無線タグ６０を読み書きする機能に加えて情報コードを光学的に読み取る情報コードリーダとしての機能を兼ね備える携帯型の端末として構成されることに限らず、無線タグリーダとしての機能のみを有する携帯型の端末として構成されてもよいし、さらに他の機能を有する携帯型の端末として構成されてもよい。
【符号の説明】
【００８２】
１…無線タグシステム
２…サーバ
５…記憶部（記憶手段）
１０…無線タグリーダ
２１…制御部（比較手段，制御手段）
２４…表示部
３０…無線タグ処理部（通信手段）
６０…無線タグ
７１〜７９…エリア特定用タグ
８１〜８６…物品特定用タグ
Ｓ…所定のエリア
Ｓ１〜Ｓ９…単位エリア
【図１】
0006398803.tif 000002
【図２】
0006398803.tif 000003
【図３】
0006398803.tif 000004
【図４】
0006398803.tif 000005
【図５】
0006398803.tif 000006
【図６】
0006398803.tif 000007
【図７】
0006398803.tif 000008
【図８】
0006398803.tif 000009
【図９】
0006398803.tif 000010
【図１０】
0006398803.tif 000011
【図１１】
0006398803.tif 000012
【図１２】
0006398803.tif 000013
【図１３】
0006398803.tif 000014
【図１４】
0006398803.tif 000015
【図１５】
0006398803.tif 000016
【図１６】
0006398803.tif 000017
【図１７】
0006398803.tif 000018
【図１８】
0006398803.tif 000019
【図１９】
0006398803.tif 000020
【図２０】
0006398803.tif 000021